(57)【要約】【課題】面状体の姿勢変化を１回の操作によって実現する。【解決手段】媒体受け装置５０は、スタンド１０を介して床面に設置され、記録装置１００から排出される媒体を受ける媒体受け装置であって、排出される媒体を受ける面状体２と、面状体の媒体排出方向前端を拘束する第１の拘束部材３と、面状体の媒体排出方向後端を拘束する第２の拘束部材６と、スタンドに一端で回動可能に取り付けられた第１のアーム７と、第１のアームの他端に取り付けられ、面状体に張力を与えながら面状体の延びる方向を変える第１の方向転換部材４と、スタンドに取り付けられたガイド部材１１と、ガイド部材に沿って移動可能で面状体に張力を与えながら面状体の延びる方向を変える第２の方向転換部材５と、を有し、第１もしくは第２の拘束部材または第１の方向転換部材を移動させることにより、第２の方向転換部材が連動して移動し、面状体の姿勢が変化する。【選択図】図１
2013043770.tif 000002
【特許請求の範囲】
【請求項１】
スタンドを介して床面に設置され、記録装置から排出される媒体を受ける媒体受け装置であって、
排出される前記媒体を受ける面状体と、
前記面状体の媒体排出方向前端を拘束する第１の拘束部材と、
前記面状体の媒体排出方向後端を拘束する第２の拘束部材と、
前記スタンドに一端で回動可能に取り付けられた第１のアームと、
前記第１のアームの他端に取り付けられ、前記面状体に張力を与えながら前記面状体の延びる方向を変える第１の方向転換部材と、
前記スタンドに取り付けられたガイド部材と、
前記ガイド部材に沿って移動可能で前記面状体に張力を与えながら前記面状体の延びる方向を変える第２の方向転換部材と、
を有し、
前記第１もしくは第２の拘束部材または前記第１の方向転換部材を移動させることにより、前記第２の方向転換部材が連動して移動し、前記面状体の姿勢が変化することを特徴とする、媒体受け装置。
【請求項２】
前記第１のアームに設けられ前記第１の拘束部材を保持可能な複数の保持部を有し、
前記第１の拘束部材を一の前記保持部から別の前記保持部へ移動させることにより、前記第２の方向転換部材が連動して移動し、前記面状体の前記第２の方向転換部材における折れ角度が変化することを特徴とする、請求項１に記載の媒体受け装置。
【請求項３】
前記第１の方向転換部材を前記第１のアームを介して媒体排出方向前方へ回動させることにより、前記第２の方向転換部材が連動して移動し、前記面状体が前方排紙する状態へ変化することを特徴とする、請求項１に記載の媒体受け装置。
【請求項４】
前記第１のアームと同方向に回動するように前記第１のアームに連結されている操作レバーを有し、
前記第１の方向転換部材を前記操作レバーを介して操作することによって、前記第１の方向転換部材が前記媒体排出方向前方へ回動することを特徴とする、請求項３に記載の媒体受け装置。
【請求項５】
前記スタンドに一端で回動自在に取り付けられ、前記第２の拘束部材を他端で支持している第２のアームを有し、
前記第２の拘束部材を前記第２のアームを介して媒体排出方向後方へ回動させることにより、前記第２の方向転換部材が連動して移動し、前記面状体が後方排紙する状態へ変化することを特徴とする、請求項１に記載の媒体受け装置。
【請求項６】
前記第２の方向転換部材に、排出された前記媒体の端部が突き当たるための突き当て面が設けられていることを特徴とする、請求項１から５のいずれか１項に記載の媒体受け装置。
【発明の詳細な説明】
【技術分野】
【０００１】
本発明は、記録装置等から排出される媒体を受ける媒体受け装置に関する。
【背景技術】
【０００２】
比較的大型の記録媒体、例えばＪＩＳ規格のＡ０判やＢ０判の幅の印刷用のロール紙に印刷できる大型のプリンタの場合、印刷が完了したロール紙は、前方と後方に分けて受け取ることができるものが多い。すなわち、切断したロール紙を即座に取り出したい場合はプリンタの前方側で、切断したロール紙の積み重ねが可能である場合はプリンタの後方側で受け取るようにする。このためには、媒体を前方に排出するモードと後方に排出するモードを切り換えられる媒体受け装置が望ましい。
【０００３】
特許文献１には、媒体の前方排出と後方排出とを切り換えて排出媒体を受ける媒体受け装置が開示されている。該媒体受け装置は排出される媒体を受ける面状体と、面状体の一端を後方で支持する第１支持部と、面状体の中央を上方で支持する第２支持部と、面状体の他端を前方で支持する第３支持部とを有する。第２支持部は前後にスライド自在に、第３支持部は前後に回動自在に構成されている。第２支持部をスライドさせ、第３支持部を回動させることにより、媒体の前方排出と後方排出とを切り換えることができる。
【先行技術文献】
【特許文献】
【０００４】
【特許文献１】特開２００６−２２４５５７号公報
【発明の概要】
【発明が解決しようとする課題】
【０００５】
特許文献１に記載の技術では、前方排出モードと後方排出モードとを切り換えるには、第２支持部と第３支持部という異なる位置にある２つの部材の位置を変える必要があるため、操作が複雑になり分かり難いという課題がある。
【０００６】
本発明では、面状体の姿勢変化を１回の操作によって実現可能とする媒体受け装置を提供することを目的とする。
【課題を解決するための手段】
【０００７】
本発明の媒体受け装置は、スタンドを介して床面に設置され、記録装置から排出される媒体を受ける媒体受け装置であって、排出される前記媒体を受ける面状体と、前記面状体の媒体排出方向前端を拘束する第１の拘束部材と、前記面状体の媒体排出方向後端を拘束する第２の拘束部材と、前記スタンドに一端で回動可能に取り付けられた第１のアームと、前記第１のアームの他端に取り付けられ、前記面状体に張力を与えながら前記面状体の延びる方向を変える第１の方向転換部材と、前記スタンドに取り付けられたガイド部材と、前記ガイド部材に沿って移動可能で前記面状体に張力を与えながら前記面状体の延びる方向を変える第２の方向転換部材と、を有し、前記第１もしくは第２の拘束部材または前記第１の方向転換部材を移動させることにより、前記第２の方向転換部材が連動して移動し、前記面状体の姿勢が変化することを特徴とする。
【発明の効果】
【０００８】
本発明の媒体受け装置は、第１もしくは第２の拘束部材または第１の方向転換部材のいずれか１個所を移動させることにより、第２の方向転換部材が連動して移動し、面状体の姿勢を変化させることができる。
【０００９】
本発明では、面状体の姿勢変化を１回の操作によって実現可能とする媒体受け装置を提供することができる。
【図面の簡単な説明】
【００１０】
【図１】第１の実施形態の媒体受け装置の斜視図である。
【図２】第１の実施形態の媒体受け装置の断面図である。
【図３】第１の実施形態の媒体受け装置の第１または第２の拘束部材の詳細図である。
【図４】第２の実施形態の媒体受け装置の断面図である。
【図５】第３の実施形態の媒体受け装置の断面図である。
【図６】第４の実施形態の媒体受け装置の断面図である。
【図７】第５の実施形態の媒体受け装置の第２の方向転換部材の断面図である。
【発明を実施するための形態】
【００１１】
以下、本発明の実施形態について図面を参照して詳細に説明する。
【００１２】
図１は本発明の第１の実施形態の媒体受け装置５０を備えた記録装置１００の構成例を示す斜視図である。図２は本発明の第１の実施形態の媒体受け装置５０の構成例及び操作例を示す断面図である。
【００１３】
図１及び図２に示した記録装置１００は給紙部、記録部、排出部、及び媒体受け装置５０から構成されている。給紙部でロール状に巻きつけられた記録シート１２が給紙され、記録部で記録ヘッド１４によって印字が行われた後、排出部でシートカッター１３により切り離され、印刷されたシートは媒体受け装置５０へと導かれ、貯留される。
【００１４】
次に媒体受け装置５０の構成について説明する。媒体受け装置５０はスタンド１０を介して床面に設置されている。記録装置１００から排出される媒体を受ける面状体２は例えば布のような素材で構成され、記録装置１００で印字可能な最大幅のシートを貯留するのに十分な幅を持つ。
【００１５】
第１及び第２の拘束部材３、６はそれぞれ図３に示すように面状体２の媒体排出方向（図２矢印A）前端１５及び後端１６に作られたループ形状に棒状の部材を通し、その部材の両端に抜き止め部を設けて面状体２を拘束するよう構成されている。
【００１６】
第１のアーム７は、その一端１７でスタンド１０に回動可能に取り付けられている。第１の方向転換部材４は第１のアーム７の他端１８に取り付けられ、面状体２に張力を与えながら面状体２の延びる方向を変える。ガイド部材１１はスタンド１０に固定されている。第２の方向転換部材５はガイド部材１１に沿って移動可能で、面状体２に張力を与えながら面状体２の延びる方向を変える。保持部８、９は第１のアーム７上に設けられ、第１の拘束部材３を選択的に保持可能である。
【００１７】
第１のアーム７、保持部８、９、及びガイド部材１１はそれぞれ、媒体受け装置５０の幅方向に所定の間隔を持って一対配置されている。すなわち、一対の第１のアーム７、保持部８、９、及びガイド部材１１が、媒体受け装置５０の前面から見たときに装置の左端部付近と右端部付近に一つずつ配置されている。第１及び第２の方向転換部材４、５は円筒形状の部材である。第１の方向転換部材４の両端は一対の第１のアーム７に支持されている。第２の方向転換部材５の両端は一対のガイド部材１１のガイド溝に係合しており、面状体２の姿勢変化に応じて面状体２に接しながら受動的にその位置が変化する構成となっている。
【００１８】
上記のような構成の媒体受け装置において、図２(a)に示す保持部８に保持された状態の第１の拘束部材３を保持部９へと移動させると図２(b)に示すように面状体２の張力により第２の方向転換部材５が連動して移動し、面状体２の姿勢が遷移する。すなわち、面状体２の第２の方向転換部材５における折れ角度が変化する。この時第２の方向転換部材５はガイド部材１１のガイド溝の形状に沿って移動するため、第１の拘束部材３の保持位置に応じて、面状体２の姿勢は一意に決定する。よって、例えば印字するシートのサイズに応じて、貯留したシートを取り出しやすくするため、あるいは複数枚のシートを整列して積載するために、第１の拘束部材３を一個所操作するだけで、容易に面状体２を最適な姿勢に変更することができる(図２(c)）。
【００１９】
なお、本実施形態では２対の保持部８、９を設けているが、面状体２がより多くの姿勢で保持できるように、２対より多くの保持部を設けてもよい。
【００２０】
図４は本発明の第２の実施形態の媒体受け装置５０の断面図である。第１の実施形態では、第１の拘束部材３を保持させる位置を選択的に移動させる事で、面状体２の姿勢を変化させたが、第２の実施形態は回動可能な第１のアーム７により面状体２の姿勢を変化させる例である。ここではその違いのみを説明する。
【００２１】
図４(a)に示す第１のアーム７は、スタンド１０に対し回動自在に取り付けられている。図４(b)に示すように、第１の方向転換部材４を第１のアーム７を介して装置手前側へ回動させることにより、第２の方向転換部材５が連動して移動し、面状体２の姿勢を変化させることができる。本実施形態ではこの姿勢変化によりシートの貯留部をなくし、記録装置１００から排出されたシートを装置前方へと導くガイド面を面状体２により形成する。よって、第１の方向転換部材４を一個所操作するだけで、例えばシートを貯留する状態から前方排紙する状態へと容易に切り換える事が可能である(図４(c))。なお、第１のアーム７は回動自在なだけでなく、軸方向に伸縮自在となっていてもよい。
【００２２】
図５は本発明の第３の実施形態の媒体受け装置５０の断面図である。第２の実施形態では、第１の方向転換部材４を直接操作して移動させているが、第３の実施形態は第１の方向転換部材４を間接的に操作する例である。ここではその違いのみを説明する。
【００２３】
図５に示す操作レバー５１は、第２の実施形態で示した第１のアーム７と同方向に回動するように第１のアーム７の回動部とギア等を介して機械的に連結している。操作レバー５１を回動方向に操作することにより、面状体２の姿勢変化を実現する。操作レバー５１は、例えば持ちやすい形状や配置にする事で、第２の実施形態に対し、より操作性を向上することができる。
【００２４】
なお、本実施形態は機械的連結のみで構成されているが、例えば第１のアーム７の回動部に図示しない電気的駆動手段とその制御手段、及び図示しない制御手段の操作部を備え、操作部を操作することで、第１のアーム７を回動させてもよい。
【００２５】
図６は本発明の第４の実施形態の媒体受け装置５０の断面図である。第２の実施形態は、装置手前側の第１の方向転換部材４を第１のアーム７を介して回動する例であったが、第４の実施形態は装置後方側の第２の拘束部材６を第２のアーム５７を介して回動する例である。ここではその違いのみを説明する。
【００２６】
図６(a)に示す第２のアーム５７は、スタンド１０に対し回動自在に取り付けられ、第２の拘束部材６を支持している。図６(b)に示すようにこの第２の拘束部材６を第２のアーム５７を介して装置後方側へ回動させることにより、第２の方向転換部材５が連動して移動し、面状体２の姿勢を変化させることができる。本実施形態ではこの姿勢変化により、記録装置１００から排出されたシートを装置後方へと導くガイド面を形成する。よって、第２の拘束部材６を１個所操作するだけで、例えばシートを貯留する状態から後方排紙する状態へと容易に切り換える事が可能である（図６(c)）。
【００２７】
第３の実施形態において操作レバー５１を第１のアーム７の回動部と機械的に連結したのと同様に、第２のアーム５７の回動部にも操作レバーを機械的に連結して、操作レバーを回動方向に操作することにより、面状体２の姿勢変化を実現することが可能である。
【００２８】
図７は第５の実施形態の媒体受け装置の第２の方向転換部材５の断面図である。第１から第４の実施形態において、第２の方向転換部材５は円筒形状の部材であったが、本実施形態ではその部材が排出されたシートが突き当たる面を備えている。
【００２９】
本実施形態では図７に示すように、第２の方向転換部材５に排出されたシート５４の端部が突き当たるための突き当て面５２があり、また、底面には面状体２との摺動を滑らかにするためのコロ５３が設けてある。突き当て面５２により、排出されたシートをより正確に積載することができる。
【符号の説明】
【００３０】
２  面状体
３  第１の拘束部材
４  第１の方向転換部材
５  第２の方向転換部材
６  第２の拘束部材
５０  媒体受け装置
【図１】
2013043770.tif 000003
【図２】
2013043770.tif 000004
【図３】
2013043770.tif 000005
【図４】
2013043770.tif 000006
【図５】
2013043770.tif 000007
【図６】
2013043770.tif 000008
【図７】
2013043770.tif 000009